(57)【要約】複数の横方向の部材（２０）と複数の縦方向の部材（１０）とを有し、これら横方向の部材並びに/若しくは縦方向の部材間には、≦３００μｍの内幅を有する格子開口部（４）が夫々形成された、第１の媒体を第２の媒体に抗して通過させるための格子構造体（１）が記載されている。この格子構造体の少なくとも一側（２，３）に、横方向の部材並びに/若しくは縦方向の部材は、格子平面（６）に対して直角に突出しているリブ（３１，３２，４１，４２）からなるリブ配列（８，８ａ，８ｂ）を有している。これらリブの第１のグループ（３０）と第２のグループ（４０）とは、少なくともリブ高さＨ１，Ｈ２が異なるように配置され、Ｈ１は、Ｈ２よりも大きい。少なくとも１つの取水ウィンドウ（５４）と少なくとも１つの排気ウィンドウ（５５）とを有する容器（５０）が、記載されている。これら両ウィンドウには、格子構造体が設けられている。
2009520585.tif 000002
【特許請求の範囲】
【請求項１】
一緒になって８０°ないし１００°の角度βを形成するように夫々延びた複数の横方向のウェブ（２０）と複数の縦方向のウェブ（１０）とを具備し、これら横方向のウェブ（２０）間並びに縦方向のウェブ（１０）間には、≦３００μｍの開口幅を有した格子開口部（４）が夫々形成されている、第１の媒体を第２の媒体に抗して通過させるための格子構造体（１）において、
この格子構造体（１）の少なくとも一側（２，３）に、前記横方向のウェブ（２０）並びに/若しくは縦方向のウェブ（１０）は、格子平面（６）に対して垂直方向に突出しているリブ（３１，３２，４１，４２）のリブ配列（８，８ａ，８ｂ）を有し、
これらリブ（３１，３２，４１，４２）の少なくとも第１のグループ（３０）と第２のグループ（４０）とは、少なくともこれらリブのリブ高さＨ１，Ｈ２だけ互いに異なるように配置され、Ｈ１＞Ｈ２であることを特徴とする格子構造体。
【請求項２】
前記第１のグループ（３０）のリブ（３１，３２）は、リブ配列（８，８ａ，８ｂ）を形成するための規則的な繰り返しで、前記第２のグループ（４０）のリブ（４１，４２）と交互になっていることを特徴とする請求項１の格子構造体。
【請求項３】
各ケースにおいて、前記第２のグループ（４０）の２つのリブ（４１，４２）は、前記第１のグループ（３０）の各ケースの１つのリブ（３１，３２）と交互になっていることを特徴とする請求項２の格子構造体。
【請求項４】
前記リブ配列（８）は、前記縦方向のウェブ（１０）又は前記横方向のウェブ（２０）に配置されていることを特徴とする請求項１ないし３のいずれか１の格子構造体。
【請求項５】
この格子構造体（１）は、両側（２，３）に同じリブ配列（８，８ａ，８ｂ）を夫々有していることを特徴とする請求項１ないし４のいずれか１の格子構造体。
【請求項６】
前記一側（２，３）のリブ配列（８ａ）は、他側（２，３）のリブ配列（８ｂ）に対して角度βだけ向きが変えられていることを特徴とする請求項２ないし５のいずれか１の格子構造体。
【請求項７】
前記Ｈ２≦３/４×Ｈ１が、前記リブ高さに適用されることを特徴とする請求項１ないし６のいずれか１の格子構造体。
【請求項８】
Ｈ２≦１/２×Ｈ１が、前記リブ高さに適用されることを特徴とする請求項１ないし７のいずれか１の格子構造体。
【請求項９】
Ｈ２≦１/３×Ｈ１が、前記リブ高さに適用されることを特徴とする請求項１ないし８のいずれか１の格子構造体。
【請求項１０】
第１のグループ（３０）のリブ（３１，３２）を有した前記ウェブ（１０，２０）の幅Ｂ１は、前記第２のグループ（４０）のリブ（４１，４２）を有したウェブ（１０，２０）の幅Ｂ２以上に大きいことを特徴とする請求項１ないし９のいずれか１の格子構造体。
【請求項１１】
前記リブ（３１，３２，４１，４２）の両側面（３３，３４）は、０°≦α≦１２°の傾斜角度αを有していることを特徴とする請求項１ないし１０のいずれか１の格子構造体。
【請求項１２】
０°≦α≦４°が、前記傾斜角度に適用されることを特徴とする請求項１１の格子構造体。
【請求項１３】
０°≦α≦３°が、前記傾斜角度に適用されることを特徴とする請求項１１の格子構造体。
【請求項１４】
３°≦α≦４°が、前記傾斜角度に適用されることを特徴とする請求項１１又は１２の格子構造体。
【請求項１５】
この格子構造体は、射出モールド成形された合成材料からなっていることを特徴とする請求項１ないし１４のいずれか１の格子構造体。
【請求項１６】
液体を気体に抗して、特に水を空気に抗して流入させるための請求項１ないし１５のいずれか１の格子構造体であって、前記リブ（３１，３２，４１，４２）は、気体に面する側（２，３）に少なくとも配置されていることを特徴とする格子構造体。
【請求項１７】
この格子構造体は、親水性の材料、特に親水性の合成材料からなっていることを特徴とする請求項１６の格子構造体。
【請求項１８】
気体を液体に抗して、特に空気を水に抗して流入させるための請求項１ないし１５のいずれか１の格子構造体であって、前記リブ（３１，３２，４１，４２）は、液体に面する側（２，３）に少なくとも配置されていることを特徴とする格子構造体。
【請求項１９】
親水性の材料、特に親水性の合成材料からなっていることを特徴とする請求項１８の格子構造体。
【請求項２０】
水を処理するための容器の部材としての、請求項１ないし１９のいずれか１の格子構造体の使用。
【請求項２１】
各ケースにおいて、少なくとも１つの取水ウィンドウ（５４）と、少なくとも１つの排水ウィンドウ（５２）と、少なくとも１つの排気ウィンドウ（５５）とを具備し、前記取水ウィンドウ（５４）と排気ウィンドウ（５５）とには、複数の横方向のウェブ（２０）と複数の縦方向のウェブ（１０）とを有した格子構造体（１）が設けられ、これら横方向のウェブ（２０）間と縦方向のウェブ（１０）間とには、≦３００μｍの開口幅を有した格子開口部（４）が夫々形成されている特にフィルターカートリッジのような容器（５０）において、前記格子構造体（１）の少なくとも一側（２，３）に、前記横方向のウェブ（２０）並びに/若しくは縦方向のウェブ（１０）は、格子平面（６）に対して垂直方向に突出しているリブ（３１，３２，４１，４２）を有し、
これらリブ（３１，３２，４１，４２）の少なくとも第１のグループ（３０）と第２のグループ（４０）とが、リブのリブ高さＨ１，Ｈ２だけ互いに異なるように配置され、Ｈ１＞Ｈ２であることを特徴とする容器。
【請求項２２】
前記取水ウィンドウ（５４）の前記格子構造体（１）は、親水性の材料、特に親水性の合成材料からなり、また、前記排気ウィンドウ（５５）の前記格子構造体（１）は、疎水性の材料、特に疎水性の合成材料からなっていることを特徴とする請求項２１の容器。
【請求項２３】
この容器（５０）は、前記取水ウィンドウ（５４）又は排気ウィンドウ（５５）の合成材料からなっていることを特徴とする請求項２１又は２２の容器。
【請求項２４】
二成射出モールド成形方法で製造されていることを特徴とする請求項２１ないし２３のいずれか１の容器。
【発明の詳細な説明】
【技術分野】
【０００１】
本発明は、８０°ないし１００°の角度βを一緒になって形成している横方向のウェブと縦方向のウェブとを有し、これら横方向のウェブ間並びに縦方向のウェブ間には、≦３００μｍの開口幅を有した格子開口部が夫々形成されている格子構造体に関する。本発明は、また、請求項２１の前文に係わる、このような格子構造体を有した特にフィルターカートリッジのような容器に関する。
【０００２】
格子開口部の開口幅(clear width)は、例えば、円形状の開口部の場合は直径、矩形の開口部の場合は短い方の側部間の間隔を意味するものと理解される。
【背景技術】
【０００３】
ＥＰ１２３０１６６Ｂ１から、フィルターカートリッジを有する濾過装置が、知られている。粒状材料の形態でフィルターカートリッジ内に位置された濾過材料が流出してしまうのを防止するために、形状が安定した、又は可撓性の平坦形状の構造体が、フィルターカートリッジのカバーエリアに配置されている。この構造体は、粒子材料のマイクロ粒子が流出するのを防止するために、３００μｍの最大孔サイズ、即ちメッシュサイズを有している。
【０００４】
濾過処理の初期段階中、水はフィルターカートリッジを通過し、フィルターカートリッジ内の空気は逃がされなければならない。この問題に関して、網目タイプの平坦形状の構造体を使用した場合、わずかな逆圧が、網目状の孔を閉塞させるのにすでに十分であることが、記載されている。繊維技術において、湿ったフィルムにより孔が閉塞することを、セイル形成(sail formation)と呼ぶ。
【０００５】
ドーム形状の網目タイプの構造体は、例えば、合成材料の織物を有することができる。空気が出る、平坦形状の構造体の上側部分でのセイル形成は、疎水性の成分により回避される。水を濾過するための入口開口部のゾーンの平坦形状の構造体の下側部分は、液体を通過させる親水性の成分を有している。しかし、このような方法は、水の充填を妨げないことを確実にするという目的において、十分ではない。
【０００６】
織物アッセンブリを有したフィルターカートリッジが、ＥＰ０８２３２７６Ｂ１から知られている。このアッセンブリは、少なくとも一部がドーム形状をしている。また、織物部分は、リブに装着されている。
【０００７】
ＷＯ９８/０５４０１は、取水開口部、排出開口部、並びに排気開口部、即ちウィンドウを有したフィルターカートリッジを開示している。これらウィンドウには、合成材料の織物からなり得る格子体がカバーされている。
【０００８】
また、Ｗ０９６/２１６２１に係わるフィルターカートリッジも、微小の孔の紙が設けられた入口開口部と出口開口部とを有している。
【０００９】
ＵＳ５４２３８９６からは、射出モールド成形された格子構造体が、知られている。この格子構造体は、互いに交差したウェブからなっている。射出モールド成形方法に関する技術的な理由のために、この格子構造体は、断面が円形状であり直径がウェブの直径の倍であるリブを有している。これらリブにより、格子構造体全体は、複数の領域に分割される。
【００１０】
ＤＥ１９７４４３６１は、複数の小さな通路開口部を有したフィルター格子体を備えた合成材料のフィルターを開示している。射出モールド成形方法で製造され得る合成材料のフィルターを形成するために、フィルター格子体は、互いに平行したリブの第１の層と、この第１の層に交差し、互いに平行したリブの第２の層とからなっている。両層は、互いに隣接した２つの面に夫々配置され、また、これら２つの面の相互交差したリブは、交差ポイントで一緒に結合されている。従って、リブ、即ちウェブは、２つの異なる平面に夫々は位置されている。
【００１１】
これら格子構造体は、また、遅れ又は閉塞が充填の初期段階で生じ得るという欠点を有している。
【発明の開示】
【００１２】
本発明の課題は、特に、流体の気体に抗する通過、並びに気体の流体に抗する通過の初期段階での媒体の改善された流れ特性を有する格子構造体を提供することである。また、本発明の課題は、このような格子構造体により流れ特性が改善されて、液体及び気体のような様々な媒体を流すこのような格子構造体を有する容器を提供することである。
【００１３】
これら課題は、横方向のウェブ並びに/若しくは縦方向のウェブが、格子平面に対して垂直方向に突出したリブのリブ配列を、格子構造体の少なくとも一側に有し、これらリブの第１のグループと第２のグループとは、少なくともこれらリブのリブ高さＨ１，Ｈ２だけ互いに異なるように配置され、Ｈ１＞Ｈ２である格子構造体により解決される。この場合、高さＨ１は、第１のグループに適用され、また、高さＨ２は、第２のグループに適用される。
【００１４】
前記横方向のウェブと、縦方向のウェブとは、格子構造体の基体フレームを形成し同じ厚さＤを有する平坦な格子部材であると理解される。両ウェブは、同一平面内に位置されても良いし、縦方向のウェブが、第１の平面に位置されて、横方向のウェブが、縦方向のウェブの高さだけずれた第２の平面に位置されても良い。
【００１５】
前記リブは、これらウェブに配置された突出部であると理解される。
【００１６】
格子構造体中への流れの初期中、即ち、格子構造体が第１の媒体中にあり、第２の媒体が、第１の流体の抵抗に抗して格子構造体を流れるとき、単一のリブ高さを有するリブを有するか有さない横方向のウェブと縦方向のウェブとのみを有する格子構造体と同様に、遅れ並びに閉塞が生じないことが、意外にも発見された。
【００１７】
この場合、第１のグループのリブが、リブ配列を形成するための規則的な繰り返しで、第２のグループのリブと交互になっていると、効果的である。特に、空気に抗する水並びに/若しくは水に抗する空気による格子構造体の貫流において、第２のグループの２つのリブが、第１のグループの１つのリブと互いに交互になっている場合、最良の結果が得られる。
【００１８】
前記リブ配列は、横方向のウェブと縦方向のウェブとのどちらか一方に配置されることが好ましい。また、リブ配列は、縦方向のウェブと横方向のウェブとの両方に配置されると考えることも可能である。
【００１９】
前記リブ配列は、格子構造体の両側で同一であり、両側でのリブ高さは、等しいように、又は異なるように選択されることができる。
【００２０】
リブ構造は、一側が他側のリブ配列に対して角度βだけ向きが変えられることができる。リブ配列の最も適切な組み合わせは、個々の適用例、手段、各ケースで使用される媒体により決定される。
【００２１】
前記リブ高さＨ１，Ｈ２は、好ましくはかなり互いに異なり、Ｈ２＜３/４×Ｈ２が、好ましい。更に好ましくは、高さＨ１，Ｈ２の値の範囲は、Ｈ２＜１/２×Ｈ１、Ｈ２＜１/３×Ｈ１である。
【００２２】
リブの３つ以上のグループが存在する場合、類似の階調が、例えば、Ｈ３＜３/４×Ｈ２及びＨ２＜３/４×Ｈ１を適用することが好ましい。
【００２３】
全てのウェブの幅は、同じであり得る。しかし、特に安定性の理由のために、第２のグループのリブを有するウェブの幅Ｂ２よりも大きな第１のグループのリブを有するウェブの幅Ｂ１を選択することが、好ましい。
【００２４】
リブの側面が、０≦α≦１２°の傾斜角度を有している場合、貫流の更なる改良点を得ることができる。この角度αは、関連したリブの側壁と、格子平面の垂線との間で測定される。傾斜していない側面を有する、即ちα＝０である格子構造体は、最良の結果をもたらす。
【００２５】
格子構造体が、射出モールド成形され、例えば、α＝０の角度が主要な作業で実現可能である場合、離型機能を確実にするための傾斜角度は、＞０の値になければならない。この場合、＞１２°、好ましくは＞４°、特に＞３°の角度は、超過されるべきでない。これは、大きな角度が、格子構造体の貫流特性への直接的な影響を示すためである。
【００２６】
格子構造体が、液体を気体に抗して、特に水を空気に抗して通過させるために適用される場合、リブは、気体に面した側に少なくとも配置されることが好ましい。
【００２７】
水を空気に抗するように使用する場合、すでに説明されたような実施形態、即ち第１のグループのリブが、リブ配列を形成するための規則的な繰り返しで、第２のグループのリブと交互になっている実施形態が、特に好ましい。
【００２８】
これは、流れチャネルがリブ間に形成されているという事実による結果であり得る。これら流れチャネルにおいて、最初に、第２のグループのリブ間、並びに/若しくは第２のグループ及び第１のグループのリブ間の幅狭のチャネルと、更なる流れによる、第１のグループのリブ間の幅広のチャネルとが、効果を発する。幅狭のチャネルからの狭い部分的な流れは、格子構造体を出る前に一緒になる。
【００２９】
好ましくは、また、このような適用例のために、格子構造体は、親水性の材料、特に、例えばポリアミドのような親水性の合成材料で形成されることができる。
【００３０】
親水性の材料は、水との接触に関してθ＜８０°を示すような材料を意味するものと理解される。
【００３１】
格子構造体が、水平に配置されて、水が、格子構造体の下の空気に抗するように上から垂直に充填されるとき、水の重力と、チャネル中の毛管力とが、同じ方向に作用する。そして、毛管力が大きければ、リブの側面の壁の傾斜、即ちαは小さい。
【００３２】
格子構造体が、気体を液体に抗して、特に空気を水に抗して通過させるために適用される場合、リブは、液体に面した側に少なくとも配置されることが好ましい。
【００３３】
このような適用例において、格子構造体は、疎水性の材料、特に、例えばポリプロピレンのような疎水性の合成材料からなることが好ましい。
【００３４】
疎水性の材料は、水との接触においてθ＞１００°の接触角度を示すような材料を意味するものと理解される。
【００３５】
格子構造体が水平に配置され、空気が、格子構造体上にとどまっている水柱に抗して与えられることに関して、この場合、水柱の重力に抗して作用する毛管力は、空気が格子構造体を通って上方へと逃れ得るようにできるだけ大きいことが、重要である。
【００３６】
本発明に係わる格子構造体は、水処理用の容器の部材として使用されることが好ましい。
【００３７】
特にフィルターカートリッジであり得るこのような容器には、各ケースにおいて、少なくとも１つの取水ウィンドウ、１つの排水ウィンドウ、１つの排気ウィンドウが設けられている。そして、少なくとも取水ウィンドウと排気ウィンドウとには、本発明に従った格子構造体が設けられている。
【００３８】
本明細書に参照される容器が、フィルターカートリッジである場合、このフィルターカートリッジには、濾過媒体が充填されている。取水ウィンドウを通して中に流される未処理の水は、フィルターカートリッジ内へと流れ、濾過媒体中を流れ、そして、濾過された水として、排水ウィンドウを通ってフィルターカートリッジから出る。この場合の重要な態様は、水の濾過の初期段階で、水が、詰まったり遅れたりすることなく取水ウィンドウを通ってフィルターカートリッジ中へと流れ得ることである。そして、再び、フィルターカートリッジ内の濾過媒体の上方にある空気は、排気ウィンドウを通って素早く逃れなければならない。
【００３９】
これは、本発明に従った格子構造体により確実にされ、≦３００μｍのディメンションを有する格子開口部は、濾過媒体の粒子を効果的に保持する。
【００４０】
前記取水ウィンドウの格子構造体は、親水性の合成材料からなることが好ましく、排気ウィンドウの格子構造体は、疎水性の合成材料からなることが好ましい。また、容器自体は、これら合成材料の一方から形成されることが好ましい。
【００４１】
この容器は、二成射出モールド成形方法により形成されることが好ましい。
【発明を実施するための最良の形態】
【００４２】
本発明の例示的な実施形態が、添付図面に基づいて、より詳細に以下に説明される。
【００４３】
図１は、互いに交差した縦方向のウェブ１０と横方向のウェブ２０とからなる最先端技術に係わる格子構造体の一部の上側部分２の上面図を示している。これら縦方向のウェブ１０と横方向のウェブ２０とは、角度β、即ち９０°で互いに交差している。これらウェブ１０，２０間に形成された開口部４は、矩形形状であり、短い側部５ａと長い側部５ｂとを有している。これら短い側部５ａ間のスペースは、３００μｍ以下である。
【００４４】
図２は、図１に示されている格子構造体１'のＩＩ−ＩＩ線に沿った断面を示している。前記ウェブ１０，２０が、同じ厚さＤを有し、同一平面内に位置されていることは、理解され得る。
【００４５】
図３は、知られた格子構造体１'の別の実施形態を示している。この別の実施形態では、縦方向のウェブ１０が、一平面に位置され、これとずれた平面に、横方向のウェブ２０が位置され、これら両平面は、ウェブ１０，２０の厚さだけ互いにずれている。これらウェブ１０，２０が平坦なウェブとして形成されていることは、理解され得る。
【００４６】
本発明に係われば、リブ３１，４１が、図４に示されているように、このような知られた格子構造体１'に配置されている。図４は、本発明に係わる格子構造体１の下側部分３の斜視図を示している。横方向のウェブ２０は、図３の横方向のウェブに対応し、第１のリブ３１と第２のリブ４１とは、図３の縦方向のウェブ１０に配置されている。これら第１のリブと第２のリブとは、格子平面６に対して垂直方向下方に延びている。第１のリブ３１は、第１のグループ３０に属し、高さＨ１を有している。また、第２のリブ４１は、第２のグループ４０を形成し、リブ高さＨ２を有している。図４に示されているようなリブ配列８では、第１のリブ３１は、第２のリブ４１とは異なる形態で配置されている。ウェブ１０の幅は、リブ３１，４１の幅に夫々適合されている。大きい方のリブ３１の高さに基づいて、これに関連したウェブ１０は、小さい方のリブ４１が配置されたウェブ１０よりも広く相応に形成されている。
【００４７】
図５は、格子構造体１が、上側部分２にリブ配列８ｂを有し、下側部分３にリブ配列８ａを有した別の実施形態を示している。図４とは違って、リブ３１が、各ケースにおいて２つのリブ４１と交互になり、並びに/若しくは、リブ３２が、各ケースにおいて２つのリブ４２と交互になっている。上側部分２と下側部分３との両方に配置された全てのリブは、縦方向のウェブ１０に配置されている。このようにして、対称的な格子構造体１が、形成されている。横方向のウェブ２０は、相変わらず、平坦なウェブとして形成され、リブ配列を有していない。図４に係われば、ウェブ１０，２０は、互いにずれた平面に夫々配置されているが、図５に係われば、全てのウェブ１０，２０が、同一平面内に配置されている。従って、このウェブ構造体は、図１並びに図２に夫々係わる格子構造体に対応している。
【００４８】
図６は、格子構造体１の下側部分に形成されたリブ配列８ａが図４に示されたものに対応した別の実施形態を示している。同じようなリブ構造が、格子構造体１の上側部分２にも配置され、リブ構造８ｂを形成している。このリブ構造８ｂは、リブ構造８ａに対して角度β、即ち９０°向きを変えられて配置されている。これは、リブ構造８ａのリブが、縦方向のウェブ１０に配置され、リブ構造８ｂのリブが、横方向のウェブ２０に配置されていることを、意味している。このようにして、格子構造体１の特に安定性のある実施形態が形成される。
【００４９】
図７は、縦方向のウェブ１０と横方向のウェブ２０との両方が、第１のグループ３０のリブ３１と、第２のグループ４０のリブ４１とを夫々有した別の実施形態を部分的に(section-wise)示している。各ケースにおいて、第２のグループ４０の２つのリブ４１は、両方向で、第１のグループ３０の１つのリブ３１と交互になっている。かくして、格子構造体１の正方形の区画が、得られる。
【００５０】
図８は、リブ３１，４１の細部と水の流れとを説明する目的で、図４に示されているようなリブ配列８の一部を拡大して示している。図４とは対照的に、ウェブ１０，２０が、同一平面内に夫々位置されている。
【００５１】
リブ３１，４１は、各ケースにおいて、リブの底部で幅Ｂ１，Ｂ２を夫々有し、側面３３，４３を夫々有している。これら側面は、格子平面６に対する垂線と角度αを形成している。
【００５２】
前記上側部分２から、水が、水スペース６０から、格子構造体１の下に位置された気体スペース６１へと開口部４を通して与えられる。水は、開口部４を通って、最初に、リブ４１とリブ３１との間に形成された狭いチャネル３５中へと下方向に流れる。リブ４１の下で、狭いチャネル３５からの部分的な流れが、２つのリブ３１間に形成されたチャネル４５で一緒になる。この結果生じた水流は、矢印の方向へと下方に流れる。
【００５３】
前記リブ３１，４１に使用されているような親水性の材料に基づいて、液体と側壁３３との間には、接触角度θが形成され、この角度は、約７０°である。
【００５４】
前記リブ３１，４１によるこのようなチャネルの形成に基づいて、格子構造体１を通る非閉塞性の通路が形成されている。
【００５５】
前記リブの高さＨ１，Ｈ２の代表的な値は、約０．５ないし２ｍｍ、特に、０．５ないし１．５ｍｍである。また、ウェブ幅に対応した底部の所のリブ幅は、約０．３ないし１．５ｍｍ、好ましくは、約０．３ないし１．１ｍｍである。
【００５６】
図９は、フィルターカートリッジの形態の容器５０を断面図で示している。このフィルターカートリッジは、ビーカー５１からなり、このビーカーの底壁には、排水ウィンドウ５２が形成されている。このビーカー５１には、濾過媒体５６が充填されている。また、このビーカー５１の上部は、カバー５３で閉じられている。図１０の上面図に見られ得るカバー５３は、側部に２つの取水ウィンドウ５４を有し、これら取水ウィンドウ５４間には、１つの排気ウィンドウ５５が配置されている。
【００５７】
濾過動作中に、水は、前記取水ウィンドウ５４を通って容器５０中へと矢印５７の方向に流れる。このとき、最初は、水位５９が上昇する。このため、空気５８が、上方に押され、排気ウィンドウ５５を通って出る。
【００５８】
前記カバー５３上方のスペースに水がすでにある場合、空気は、カバー上方に位置された水に抗して上方へ出なければならない。前記取水ウィンドウ５４及び排気ウィンドウ５５には、本発明に係わる格子構造体１が夫々設けられている。
【００５９】
図１０に係わる上面図に見られ得るように、リブ３１は、各ケースにおいて、２つのリブ４１と交互になっている。本発明に係わる格子構造体１に基づいて、水は、容器５０中へと問題なく流れ、これと同時に素早く、空気が、排気ウィンドウ５５を通って上方に逃れることができる。出入り夫々の間の遅れ、又はウィンドウの閉塞は、本発明に係わる構造体により、効果的に防止される。
【図面の簡単な説明】
【００６０】
【図１】最先端技術に係わる格子構造体の一部の上面図である。
【図２】図１に示されているような格子構造体のＩＩ−ＩＩ線に沿った断面である。
【図３】最先端技術に係わる別の格子構造体の断面である。
【図４】本発明に係わる格子構造体の斜視図である。
【図５】別の実施形態に係わる格子構造体の斜視図である。
【図６】別の実施形態に係わる格子構造体の斜視図である。
【図７】別の実施形態に係わる格子構造体の斜視図である。
【図８】格子構造体の拡大断面図であり、この格子構造体中を液体が流れる。
【図９】フィルターカートリッジの垂直方向の断面図である。
【図１０】図９に示されているフィルターカートリッジの上面図である。
【符号の説明】
【００６１】
１…格子構造体、１'…最先端技術の格子構造体、２…上側部分、３…下側部分、４…開口部、５ａ…短い側部、５ｂ…長い側部、６…格子平面、７…格子平面の垂線、８…リブ配列、８ａ，８ｂ…リブ配列、１０…縦方向のウェブ、２０…横方向のウェブ、３０…第１のグループ、３１…第１のリブ、３２…第１のリブ、３３…側面、３５…チャネル、４０…第２のグループ、４１…第２のリブ、４２…第２のリブ、４３…側面、４５…チャネル、５０…容器、５１…ビーカー、５２…排水ウィンドウ、５３…カバー、５４…取水ウィンドウ、５５…排気ウィンドウ、５６…濾過媒体、５７…水の流れる方向、５８…空気の流れる方向、５９…水位、６０…水スペース、６１…気体のスペース、α…側面３３，４３の角度、β…縦方向のウェブ１０と横方向のウェブ２０との角度、θ…接触角度、Ｈ１…リブ３１，３２の高さ、Ｈ２…リブ４１，４２の高さ、Ｂ１…リブ３１の幅、Ｂ２…リブ４１の幅、Ｄ…ウェブ１０，２０の厚さ
【図１】
2009520585.tif 000003
【図２】
2009520585.tif 000004
【図３】
2009520585.tif 000005
【図４】
2009520585.tif 000006
【図５】
2009520585.tif 000007
【図６】
2009520585.tif 000008
【図７】
2009520585.tif 000009
【図８】
2009520585.tif 000010
【図９】
2009520585.tif 000011
【図１０】
2009520585.tif 000012
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
流出側に位置された気体スペース（６１）に液体を通すための、親水性の材料からなる格子構造体（１）の使用であって、
この格子構造体（１）は、一緒になって８０°ないし１００°の角度βを形成するように夫々延びた複数の横方向のウェブ（２０）と複数の縦方向のウェブ（１０）とを具備し、これら横方向のウェブ（２０）と縦方向のウェブ（１０）との間には、≦３００μｍの開口幅を有した格子開口部（４）が夫々形成され、
前記気体スペース（６１）に面した格子構造体（１）の一側（２，３）に、前記横方向のウェブ（２０）と縦方向のウェブ（１０）との少なくとも一方は、格子平面（６）に対して垂直方向に突出しているリブ（３１，３２，４１，４２）のリブ配列（８，８ａ，８ｂ）を有し、
このリブ配列（８，８ａ，８ｂ）は、前記リブ（３１，３２，４１，４２）の第１のグループ（３０）と第２のグループ（４０）とを少なくとも有し、これらグループは、少なくとも互いに異なるリブ高さＨ１，Ｈ２を夫々有し、Ｈ１＞Ｈ２である、使用。
【請求項２】
流出側に位置された液体スペース（６０）に気体を通すための、疎水性の材料からなる格子構造体（１）の使用であって、
この格子構造体（１）は、一緒になって８０°ないし１００°の角度βを形成している横方向のウェブ（２０）と縦方向のウェブ（１０）とを具備し、
これら横方向のウェブ（２０）と縦方向のウェブ（１０）との間には、≦３００μｍの開口幅を有した格子開口部（４）が夫々形成され、
前記液体スペース（６０）に面した格子構造体（１）の一側（２，３）に、前記横方向のウェブ（２０）と縦方向のウェブ（１０）との少なくとも一方は、格子平面（６）に対して垂直方向に突出しているリブ（３１，３２，４１，４２）のリブ配列（８，８ａ，８ｂ）を有し、
このリブ配列（８，８ａ，８ｂ）は、リブ（３１，３２，４１，４２）の第１のグループ（３０）と第２のグループ（４０）とを少なくとも有し、これらグループは、少なくとも互いに異なるリブ高さＨ１，Ｈ２を夫々有し、Ｈ１＞Ｈ２である、使用。
【請求項３】
前記第１のグループ（３０）のリブ（３１，３２）は、リブ配列（８，８ａ，８ｂ）を形成するための規則的な繰り返しで、前記第２のグループ（４０）のリブ（４１，４２）と交互になっている請求項１又は２の使用。
【請求項４】
各ケースにおいて、前記第２のグループ（４０）の２つのリブ（４１，４２）は、前記第１のグループ（３０）の１つリブ（３１，３２）と交互になっている請求項３の使用。
【請求項５】
前記リブ配列（８）は、前記縦方向のウェブ（１０）又は前記横方向のウェブ（２０）に配置されている請求項１ないし４のいずれか１の使用。
【請求項６】
この格子構造体（１）は、両側（２，３）に同じリブ配列（８，８ａ，８ｂ）を夫々有している請求項１ないし５のいずれか１の使用。
【請求項７】
前記一側（２，３）のリブ配列（８ａ）は、他側（２，３）のリブ配列（８ｂ）に対して角度βだけ向きが変えられている請求項１ないし６のいずれか１の使用。
【請求項８】
Ｈ２≦３/４×Ｈ１が、前記リブ高さに適用される請求項１ないし７のいずれか１の使用。
【請求項９】
Ｈ２≦１/２×Ｈ１が、前記リブ高さに適用される請求項１ないし８のいずれか１の使用。
【請求項１０】
Ｈ２≦１/３×Ｈ１が、前記リブ高さに適用される請求項１ないし９のいずれか１の使用。
【請求項１１】
前記第１のグループ（３０）のリブ（３１，３２）を有した前記ウェブ（１０，２０）の幅Ｂ１は、前記第２のグループ（４０）のリブ（４１，４２）を有したウェブ（１０，２０）の幅Ｂ２以上に大きい請求項１ないし１０のいずれか１の使用。
【請求項１２】
前記リブ（３１，３２，４１，４２）の側面（３３，４３）は、０°≦α≦１２°の傾斜角度αを有している請求項１ないし１１のいずれか１の使用。
【請求項１３】
０°≦α≦４°が、前記傾斜角度に適用される請求項１２の使用。
【請求項１４】
０°≦α≦３°が、前記傾斜角度に適用される請求項１２の使用。
【請求項１５】
３°≦α≦４°が、前記傾斜角度に適用される請求項１２の使用。
【請求項１６】
前記格子構造体は、射出モールド成形されたプラスチックからなっている請求項１ないし１５のいずれか１の使用。
【請求項１７】
前記格子構造体は、親水性のプラスチックからなっている請求項１，又は３ないし１６のいずれか１の使用。
【請求項１８】
前記格子構造体は、疎水性のプラスチックからなっている請求項２ないし１７のいずれか１の使用。
【請求項１９】
水を処理するための容器の、請求項１ないし１８のいずれか１の使用。
【請求項２０】
各ケースにおいて、少なくとも１つの取水ウィンドウ（５４）と、少なくとも１つの排水ウィンドウ（５２）と、少なくとも１つの排気ウィンドウ（５５）とを具備し、少なくとも前記取水ウィンドウ（５４）と排気ウィンドウ（５５）とには、複数の横方向のウェブ（２０）と複数の縦方向のウェブ（１０）とを有した格子構造体（１）が設けられ、これら横方向のウェブ（２０）間と縦方向のウェブ（１０）間とには、≦３００μｍの開口幅を有した格子開口部（４）が夫々形成されている特にフィルターカートリッジのような容器（５０）において、
前記取水ウィンドウ（５４）の前記格子構造体（１）は、親水性の材料からなり、また、前記排気ウィンドウ（５５）の前記格子構造体（１）は、疎水性の材料からなり、
気体スペース（６１）に面した前記取水ウィンドウ（５４）の格子構造体（１）の側（２，３）と、水スペース（６０）に面した前記排気ウィンドウ（５５）の格子構造体（１）の側（２，３）とに、前記横方向のウェブ（２０）又は縦方向のウェブ（１０）は、格子平面（６）に対して垂直方向に突出しているリブ（３１，３２，４１，４２）を有し、
リブ配列が、これらリブ（３１，３２，４１，４２）の第１のグループ（３０）と第２のグループ（４０）とを少なくとも有し、これらグループは、リブの高さＨ１，Ｈ２が互いに異なるように配置され、Ｈ１＞Ｈ２であることを特徴とする容器。
【請求項２１】
前記取水ウィンドウ（５４）の前記格子構造体（１）は、親水性のプラスチックからなり、また、前記排気ウィンドウ（５５）の前記格子構造体（１）は、疎水性のプラスチックからなっていることを特徴とする請求項２０の容器。
【請求項２２】
この容器（５０）は、前記取水ウィンドウ（５４）又は排気ウィンドウ（５５）のプラスチック材料からなっていること特徴とする請求項２０又は２１の容器。
【請求項２３】
二成射出モールド成形方法で製造されていることを特徴とする請求項２０ないし２２のいずれか１の容器。
【国際調査報告】
2009520585.tif 000013
2009520585.tif 000014
2009520585.tif 000015
2009520585.tif 000016